(57)【要約】【課題】宗教施設から離間する場所や、宗教施設内に於いても参拝、礼拝、お祈り、お参り、お墓参り等ができると共に、種々の情報提供が可能であり、且つ、ＩＣタグリーダー内蔵携帯端末により容易に情報取得が可能な電子厨子システムを提供する。【解決手段】宗教関係の画像及び情報を表示するための電子厨子２と、ＩＣタグリーダー内蔵携帯端末３とが、インターネット４を介してサーバ５に通信自在に接続され、電子厨子２にＩＣタグ６が備えられる電子厨子システム１であって、電子厨子２は、利用者が初期画面に表示された中から配信希望情報を選択するとその選択情報に電子厨子２の識別番号を組込み送信データを作成する送信データ作成部３２と、送信データをサーバ５に送信する送信部３３と、サーバ５から情報を受信すると、その情報を表示する表示部３１等を備えている。【選択図】図２
2008204229.tif 000002
【特許請求の範囲】
【請求項１】
宗教的な外観を有し、宗教関係の画像及び情報を表示するための電子厨子と、ＩＣタグリーダー内蔵携帯端末とが、インターネットを介してサーバに通信自在に接続され、前記電子厨子にＩＣタグが備えられる電子厨子システムであって、
前記サーバは、
宗教関係の画像及び情報を格納する宗教情報データベースと、
認証情報を格納する認証情報データベースと、
プログラムに基づき前記宗教情報データベースを検索する検索手段と、
その検索結果を前記電子厨子に送信する送信手段と、
前記電子厨子から、配信を希望する選択情報に前記電子厨子の識別番号を組込んだ送信データを受信すると、前記認証情報データベースに対し前記識別番号を照会し、認証を行う認証手段と、
正しく認証が行なわれた場合に、前記選択情報に基づき前記宗教情報データベースを検索する検索手段と、
その検索結果を前記電子厨子に送信する送信手段と、
前記ＩＣタグリーダー内蔵携帯端末からアクセス情報を受信すると前記認証情報データベースから識別情報入力画面を表示させるための識別情報入力画面情報を検索する検索手段と、
検索した情報を前記ＩＣタグリーダー内蔵携帯端末に送信する送信手段と、
前記ＩＣタグリーダー内蔵携帯端末から識別番号を受信すると、前記認証情報データベースに照会し、認証を行う認証手段と、
正しく認証が行なわれた場合に、前記宗教情報データベースから選択画面を表示するための選択画面情報を検索する検索手段と、
その検索結果を前記ＩＣタグリーダー内蔵携帯端末に送信する送信手段と、
前記ＩＣタグリーダー内蔵携帯端末から選択情報を受信すると、前記選択情報に基づき宗教情報データベースを検索する検索手段と、
その検索結果を前記ＩＣタグリーダー内蔵携帯端末に送信する送信手段とを備え、
前記電子厨子は、
前記プログラムに基づく検索結果を受信すると、その検索結果を表示する表示手段と、
利用者が初期画面に表示された中から配信希望情報を選択するとその選択情報に前記電子厨子の識別番号を組込み送信データを作成する送信データ作成手段と、
前記送信データを前記サーバに送信する送信手段と、
前記選択情報に基づく検索結果を前記サーバから受信すると、その検索結果を表示する表示手段とを備え、
前記ＩＣタグリーダー内蔵携帯端末は、
前記ＩＣタグを読取る読取り手段と、
読み取った情報を表示する表示手段と、
表示内容から利用者によって前記サーバへのアクセス情報が選択されると、前記サーバへアクセス情報を送信する送信手段と
前記サーバから識別番号入力画面情報を受信すると識別番号入力画面を表示する表示手段と、
利用者によって、識別番号入力画面に識別番号が入力されると前記識別番号を前記サーバに送信する送信手段と、
前記サーバから選択画面情報を受信すると選択画面を表示する表示手段と、
利用者が前記選択画面によって配信希望の情報を選択するとその選択情報を前記サーバに送信する送信手段と、
前記サーバから選択情報に基づく検索結果を受信すると、その検索結果を表示する表示手段とを備えていることを特徴とする電子厨子システム。
【請求項２】
前記サーバは、前記プログラムを管理し、前記プログラムを前記サーバに提供するための管理端末にネットワークを介して接続され、
前記サーバは、前記プログラムを搭載すると共に、所定の手順に従い、前記プログラムを起動するプログラム制御手段を備えていることを特徴とする請求項１記載の電子厨子システム。
【請求項３】
前記宗教情報データベースは、宗教関係の建物の画像情報、その建物の周囲の風景等の画像情報、宗教関係の偶像の画像情報、宗教関係の美術品の画像情報、本尊又は仏像等の画像情報、お知らせ情報、暦、遍路順路情報、各種通販情報のうちの少なくともいずれか一つを格納し、前記ＩＣタグは、ＩＣタグ番号、各霊場情報、電子厨子ＩＤ情報、電子厨子の位置座標情報、ＵＲＬ等のサーバアクセス情報、各種通販情報のうちの少なくともいずれか一つを格納していることを特徴とする請求項１又は２記載の電子厨子システム。
【発明の詳細な説明】
【技術分野】
【０００１】
本発明は、主として宗教関係の画像及び情報を表示するための電子厨子と、サーバとがインターネットを介して通信自在に接続された電子厨子システムに関するものである。
【背景技術】
【０００２】
此種従来のシステムとして、例えば、インターネットによる参拝、礼拝、お祈り、お参り、お墓参り等が可能なシステムが知られている。
これらは、利用者がインターネットを介して神社、教会、寺社、仏像、お墓等を表示できるサーバに接続して、利用者が擬似的に参拝、礼拝、お参り、お墓参り等ができるようにしたものであり、併せて、情報提供、情報交換又は物品販売等ができるようにしたものも知られている。
公知文献としては、例えば、特許文献１があり、特許文献１は、公衆通信回線を介して電子仏壇と地域のサービスセンタ、家族、お寺に設置した端末とを接続して情報提供やお祈りができる故人を祀る装置である。
【特許文献１】特開平７−２７５１０８号公報
【発明の開示】
【発明が解決しようとする課題】
【０００３】
前述した従来のシステムは、利用者が擬似的に参拝、礼拝、お祈り、お参り、お墓参り等ができるものであり、特に、それらが遠距離にある場合や、利用者が高齢である場合に利便性が高く、又、参拝、礼拝、お祈り、お参り、お墓参り等を頻繁に行なうことができるという利点がある。
然しながら、従来のシステムを更に利便性の高いものにすることが求められている。
例えば、宗教施設から離間する場所や、宗教施設内に於いても参拝、礼拝、お祈り、お参り、お墓参り等ができると共に、情報提供が可能な専用の電子厨子が求められており、又、それらに関連して、利用者が求める個人的な要望の情報を容易に取得可能なシステムが求められている。
そして、その個人的な要望の情報を携帯端末で容易に取得できると極めて利便性の高いものになる。
【０００４】
以上の現状に鑑み、本発明は、宗教施設から離間する場所や、宗教施設内に於いても参拝、礼拝、お祈り、お参り、お墓参り等ができると共に、種々の情報提供が可能であり、且つ、ＩＣタグリーダー内蔵携帯端末により容易に情報取得が可能な電子厨子システムを提供することを目的とする。
【課題を解決するための手段】
【０００５】
上記の課題を解決すべく、本発明は以下の構成を提供する。
請求項１に係る発明は、宗教的な外観を有し、宗教関係の画像及び情報を表示するための電子厨子と、ＩＣタグリーダー内蔵携帯端末とが、インターネットを介してサーバに通信自在に接続され、前記電子厨子にＩＣタグが備えられる電子厨子システムであって、
前記サーバは、
宗教関係の画像及び情報を格納する宗教情報データベースと、
認証情報を格納する認証情報データベースと、
プログラムに基づき前記宗教情報データベースを検索する検索手段と、
その検索結果を前記電子厨子に送信する送信手段と、
前記電子厨子から、配信を希望する選択情報に前記電子厨子の識別番号を組込んだ送信データを受信すると、前記認証情報データベースに対し前記識別番号を照会し、認証を行う認証手段と、
正しく認証が行なわれた場合に、前記選択情報に基づき前記宗教情報データベースを検索する検索手段と、
その検索結果を前記電子厨子に送信する送信手段と、
前記ＩＣタグリーダー内蔵携帯端末からアクセス情報を受信すると前記認証情報データベースから識別情報入力画面を表示させるための識別情報入力画面情報を検索する検索手段と、
検索した情報を前記ＩＣタグリーダー内蔵携帯端末に送信する送信手段と、
前記ＩＣタグリーダー内蔵携帯端末から識別番号を受信すると、前記認証情報データベースに照会し、認証を行う認証手段と、
正しく認証が行なわれた場合に、前記宗教情報データベースから選択画面を表示するための選択画面情報を検索する検索手段と、
その検索結果を前記ＩＣタグリーダー内蔵携帯端末に送信する送信手段と、
前記ＩＣタグリーダー内蔵携帯端末から選択情報を受信すると、前記選択情報に基づき宗教情報データベースを検索する検索手段と、
その検索結果を前記ＩＣタグリーダー内蔵携帯端末に送信する送信手段とを備え、
前記電子厨子は、
前記プログラムに基づく検索結果を受信すると、その検索結果を表示する表示手段と、
利用者が初期画面に表示された中から配信希望情報を選択するとその選択情報に前記電子厨子の識別番号を組込み送信データを作成する送信データ作成手段と、
前記送信データを前記サーバに送信する送信手段と、
前記選択情報に基づく検索結果を前記サーバから受信すると、その検索結果を表示する表示手段とを備え、
前記ＩＣタグリーダー内蔵携帯端末は、
前記ＩＣタグを読取る読取り手段と、
読み取った情報を表示する表示手段と、
表示内容から利用者によって前記サーバへのアクセス情報が選択されると、前記サーバへアクセス情報を送信する送信手段と
前記サーバから識別番号入力画面情報を受信すると識別番号入力画面を表示する表示手段と、
利用者によって、識別番号入力画面に識別番号が入力されると前記識別番号を前記サーバに送信する送信手段と、
前記サーバから選択画面情報を受信すると選択画面を表示する表示手段と、
利用者が前記選択画面によって配信希望の情報を選択するとその選択情報を前記サーバに送信する送信手段と、
前記サーバから選択情報に基づく検索結果を受信すると、その検索結果を表示する表示手段とを備えていることを特徴とする電子厨子システムを提供するものである。
【０００６】
請求項２に係る発明は、前記サーバは、前記プログラムを管理し、前記プログラムを前記サーバに提供するための管理端末にネットワークを介して接続され、
前記サーバは、前記プログラムを搭載すると共に、所定の手順に従い、前記プログラムを起動するプログラム制御手段を備えていることを特徴とする請求項１記載の電子厨子システムを提供するものである。
【０００７】
請求項３に係る発明は、前記宗教情報データベースは、宗教関係の建物の画像情報、その建物の周囲の風景等の画像情報、宗教関係の偶像の画像情報、宗教関係の美術品の画像情報、本尊又は仏像等の画像情報、お知らせ情報、暦、遍路順路情報、各種通販情報のうちの少なくともいずれか一つを格納し、前記ＩＣタグは、ＩＣタグ番号、各霊場情報、電子厨子ＩＤ情報、電子厨子の位置座標情報、ＵＲＬ等のサーバアクセス情報、各種通販情報のうちの少なくともいずれか一つを格納していることを特徴とする請求項１又は２記載の電子厨子システムを提供するものである。
【発明の効果】
【０００８】
本発明の請求項１記載の発明によれば、宗教的な外観を有し、宗教関係の画像及び情報を表示するための電子厨子を備え、プログラム又は利用者の選択に基づき、電子厨子に宗教的な画像や情報が配信されるので、電子厨子によって、宗教施設から離間する場所や、宗教施設内に設置された場合に於いても参拝、礼拝、お祈り、お参り、お墓参り等ができると共に、種々の情報提供が可能な電子厨子システムを提供することができる。
又、電子厨子への宗教的な画像や情報の配信によって、癒し効果も期待できる。
更に、ＩＣタグリーダー内蔵携帯端末によって、ＩＣタグ又はサーバから電子厨子に関連する情報や、個人的な要望の情報、その他の種々の情報を取得することができる。
更に又、ＩＣタグによって宗教施設に関する案内情報を取得したり、ＩＣタグ内の情報や、位置座標情報を利用して、サーバから、お参り、参拝、遍路等の実績証明書等を取得することや、遍路順路案内情報等を取得することも可能である。
【０００９】
請求項２記載の発明によれば、管理端末によってプログラムを管理することができると共に、プログラムをサーバに提供でき、更に、プログラム制御手段によって、プログラムの搭載、起動を行なうことができる。
【００１０】
請求項３記載の発明によれば、電子厨子及びＩＣタグリーダー内蔵携帯端末は、サーバから宗教関係の建物の画像情報、その建物の周囲の風景等の画像情報、宗教関係の偶像の画像情報、宗教関係の美術品の画像情報、本尊又は仏像等の画像情報、お知らせ情報、暦、遍路順路情報、各種通販情報等の提供を受けることができ、ＩＣタグリーダー内蔵携帯端末は、ＩＣタグから各霊場情報、電子厨子ＩＤ情報、電子厨子の位置座標情報、ＵＲＬ等のサーバクセス情報、各種通販情報等を取得できる。
【発明を実施するための最良の形態】
【００１１】
以下、実施例を示した図面を参照しつつ本発明の実施の形態を説明する。
図１に於いて、１は本発明の電子厨子システムであり、電子厨子システム１は、主として宗教関係の画像及び情報を表示するための表示画面２ａを備え、宗教的な外観を有する電子厨子２と、ＩＣタグリーダー内蔵携帯端末３とが、インターネット４を介してサーバ５に通信自在に接続されている。宗教的な外観とは、例えば、仏壇等の宗教的な備品の形状に近似させたものであったり、例えば、表示画面２ａに仏像、宗教施設、宗教関係の美術品等が表示される場合等、表示画面２ａの外枠がその表示に相応しい外観を呈する形状、色彩を有するものである。
そして、前記電子厨子２にはＩＣタグ６が備えられている。又、前記サーバ５は、ネットワーク７を介して、サーバ５を管理するための管理端末８に接続されている。
尚、図に於いて、９は、携帯電話用の基地局であり、１０は、携帯サイトである。
【００１２】
そして、図２に示すように、サーバ５は、宗教関係の画像及び情報を格納する宗教情報データベース２１と、認証情報を格納する認証情報データベース２２と、電子厨子２又はＩＣタグリーダー内蔵携帯端末３から情報を受信する受信部２３と、認証情報データベース２２に識別番号を照会し、認証を行う認証部２４と、宗教情報データベース２１又は認証情報データベース２２を検索する検索部２５と、情報を電子厨子２又はＩＣタグリーダー内蔵携帯端末３に送信する送信部２６と、識別番号を発行する識別番号発行部２７と、発行した識別番号を認証情報データベース２２に登録する登録部２８と、プログラムをサーバ５に搭載すると共に、所定の手順に従い、前記プログラムを起動するプログラム制御部２９とを備えている。
【００１３】
尚、前記宗教情報データベース２１は、宗教関係の建物の画像情報、その建物の周囲の風景等の画像情報、宗教関係の偶像の画像情報、宗教関係の美術品等の画像情報、本尊又は仏像等の画像情報、その他の宗教関係の画像情報、お知らせ情報、暦、遍路順路情報、各種通販情報、その他の宗教関係の情報等を格納し、更に、ＩＣタグリーダー内蔵携帯端末３に於いて選択画面を表示させるための選択画面情報を格納している。
又、前記認証情報データベース２２は、電子厨子２に対して発行した識別番号、その識別番号に関連付けられた電子厨子２の機種番号、ＩＣタグリーダー内蔵携帯端末３の識別番号、ＩＣタグリーダー内蔵携帯端末３に於いて識別番号入力画面を表示させるための入力画面情報等を格納している。
【００１４】
前記電子厨子２は、宗教施設内、家庭、地域のサービスセンタ、集会所などに設置されるものであり、登録画面、初期画面、受信情報等を表示する表示部３１と、送信データを作成する送信データ作成部３２と、送信データをサーバ５に送信する送信部３３と、サーバ５から情報を受信する受信部３４と、初期登録画面を提供する初期登録部３５と、取得した識別番号を保存する保存部３６とを備えている。
【００１５】
前記ＩＣタグリーダー内蔵携帯端末３は、ＩＣタグ６を読取る読取り部４１と、ＩＣタグ６から読み取った情報や、サーバ５から受信した情報を表示する表示部４２と、サーバ５に情報を送信する送信部４３と、サーバ５から情報を受信する受信部４４とを備えている。
【００１６】
前記ＩＣタグ６には、例えば、ＩＣタグ番号、各霊場情報、電子厨子ＩＤ情報、電子厨子の位置座標情報、ＵＲＬ等のサーバアクセス情報、各種通販情報が格納されている。
尚、前記ＩＣタグ６はＩＣタグリーダー内蔵携帯端末３で読取り可能であるが、これに限定されず、他のＩＣタグリーダーでも読取り可能である。
【００１７】
次に、図３に従い、電子厨子２の初期登録の場合の処理の流れについて説明する。
電子厨子２を設置して電源を入れると、初期登録部３５が提供する登録画面が表示部３１によって表示され（ステップＳ１）、登録画面の登録ボタンを選択すると登録要求情報と電子厨子２の機種番号が送信データにセットされ（ステップＳ２）、送信データがサーバ５に送信される（ステップＳ３）。
サーバ５は、電子厨子２から送信データを受信すると（ステップＳ４）、識別番号発行部２７によって識別番号を発行し（ステップＳ５）、登録部２８によって発行する識別番号を機種番号と関連付けて認証情報データベース２２に登録し（ステップＳ６）、発行した識別番号を電子厨子２に送信する（ステップＳ７）。
電子厨子２はサーバ５から識別番号を受信すると（ステップＳ８）、表示部３１によって表示し（ステップＳ９）、保存部３６によって識別番号を保存する（ステップＳ１０）。識別番号が保存されると、電子厨子２の表示画面２ａは初期画面に切り替わる。
【００１８】
次に、図４に従い、サーバ５から電子厨子２に対しプログラムに基づく配信を行なう場合の処理の流れについて説明する。
管理端末８で編集され管理されるプログラムがサーバ５に送信されると（ステップＳ１１）、サーバ５はそのプログラムを受信し（ステップＳ１２）、プログラム制御部２９によって、プログラムをサーバ５に搭載すると共に、所定の手順に従い、プログラムを起動する（ステップＳ１３）。
そして、プログラムに基づき検索部２５によって宗教情報データベース２１を検索し（ステップＳ１４）、検索結果を電子厨子２に送信する（ステップＳ１５）。
【００１９】
電子厨子２は、検索結果を受信すると（ステップＳ１６）、表示部３１によって検索結果を表示する（ステップＳ１７）。
電子厨子２に表示されるものとしては、宗教情報データベース２１に格納される情報であり、例えば、宗教関係の建物の画像情報、その建物の周囲の風景等の画像情報、宗教関係の偶像の画像情報、宗教関係の美術品等の画像情報、本尊又は仏像等の画像情報、その他の宗教関係の画像情報、お知らせ情報、暦、遍路順路情報、各種通販情報、その他の宗教関係の情報等を表示する。それらは、プログラムによって、順次、表示することも可能であり、あるいは、お知らせ情報などはテロップ表示することも可能である。順次、表示する場合は、ステップＳ１７とステップＳ１４との間の処理が繰返される。
【００２０】
次に、図５に従い、電子厨子２に於ける選択に基づく情報をサーバ５から電子厨子２に配信する場合の処理の流れについて説明する。
電子厨子２は、前記プログラムに基づく配信がない時、又は、その表示を停止させた時、初期画面が表示され、初期画面は、種々の情報を選択できる選択画面となっており、利用者が初期画面に表示された中から配信希望情報を選択すると（ステップＳ２１）、送信データ作成部３２によってその選択情報に電子厨子２に保存された識別番号を組込んで送信データを作成し（ステップＳ２２）、送信データをサーバ５に送信する（ステップＳ２３）。
【００２１】
サーバ５は、電子厨子２からの送信データを受信すると（ステップＳ２４）、認証部２４によって認証情報データベース２２に対し受信した識別番号を照会し（ステップＳ２５）、認証を行う（ステップＳ２６）。
正しく認証が行なわれた場合は、検索部２５によって、受信した選択情報に基づき宗教情報データベース２１を検索し（ステップＳ２７）、検索結果を電子厨子２に送信する（ステップＳ２８）。
認証が正しく行なわれなかった場合は、電子厨子２に対し受信拒否メッセージを送信する（ステップＳ２９）。
【００２２】
電子厨子２は、サーバ５からの情報を受信し（ステップＳ３０）、表示部３１によって表示する（ステップＳ３１）。
利用者が更に詳細情報や、関連情報を必要とする場合は、表示画面に表示されたリンク先を選択してネットサーフィンの如く取得する。
更に、他の情報を取得する場合は、現在の表示画面をキャンセルするか、現在表示画面に表示される適宜ボタンを選択して、再度、初期画面を再表示させる。
電子厨子２が受信拒否メッセージを受信した場合は（ステップＳ３０）、受信拒否メッセージが表示され（ステップＳ３１）、その後のサーバ５へのアクセスが拒否される。アクセス拒否の手順については、公知であるため、その説明を省略する。
【００２３】
図６は、ＩＣタグリーダー内蔵携帯端末３で選択して要求した情報をサーバ５からＩＣタグリーダー内蔵携帯端末３に対し配信する場合の処理の流れについて説明する。
ＩＣタグリーダー内蔵携帯端末３内のＩＣタグリーダーである読取り部４１によって、電子厨子２に備えられたＩＣタグ６の読取りを始めると（ステップＳ４１）、ＩＣタグ６内の情報が読取り部４１に送信され（ステップＳ４２）、その情報がＩＣタグリーダー内蔵携帯端末３の表示部４２によって画面に表示される（ステップＳ４３）。
ＩＣタグ６内に、電子厨子に関連する情報、その他の種々の情報、宗教施設に関する案内情報、遍路順路案内情報等が格納してあれば、それらを表示することも可能である。
【００２４】
次に、ＩＣタグリーダー内蔵携帯端末３の利用者によって画面表示内容からサーバ５へのアクセス情報、例えば、ＵＲＬ又はＵＲＬに関連付けられた表示が選択されると（ステップＳ４４）、サーバ５へアクセス情報が送信される（ステップＳ４５）。尚、アクセス情報、例えば、ＵＲＬ又はＵＲＬに関連付けられた表示が選択されない場合は、ステップＳ４３の状態が維持される。
【００２５】
サーバ５は、アクセス情報を受信すると（ステップＳ４６）、検索部２５によって、認証情報データベース２２から、識別情報入力画面を表示させるための識別情報入力画面情報を検索し（ステップＳ４７）、検索した情報をＩＣタグリーダー内蔵携帯端末３に送信する（ステップＳ４８）。
【００２６】
ＩＣタグリーダー内蔵携帯端末３は、サーバ５から識別番号入力画面情報を受信すると（ステップＳ４９）、表示部４２によって識別番号入力画面を表示し（ステップＳ５０）、利用者によって、識別番号が入力されると（ステップＳ５１）、識別番号をサーバ５に送信する（ステップＳ５２）。
【００２７】
サーバ５は、識別番号を受信すると（ステップＳ５３）、認証部２４によって認証情報データベース２２に予め入力されている識別番号と照会し（ステップＳ５４）、認証を行う（ステップＳ５５）。
正しく認証が行なわれた場合は、検索部２５によって、宗教情報データベース２１から選択画面を表示するための選択画面情報を検索し（ステップＳ５６）、検索結果をＩＣタグリーダー内蔵携帯端末３に送信する（ステップＳ５７）。
【００２８】
ＩＣタグリーダー内蔵携帯端末３は、サーバ５から選択画面情報を受信すると（ステップＳ５８）、選択画面を表示し（ステップＳ５９）、利用者が選択画面によって配信希望の情報を選択すると（ステップＳ６０）、その選択情報がサーバ５に送信される（ステップＳ６１）。利用者が選択画面で選択できるものとしては、宗教関係の建物の画像情報、その建物の周囲の風景等の画像情報、宗教関係の偶像の画像情報、宗教関係の美術品の画像情報、本尊又は仏像等の画像情報、お知らせ情報、暦、遍路順路情報、各種通販情報等であるが、ＩＣタグリーダー内蔵携帯端末３に表示できるものに限定される。ＩＣタグリーダー内蔵携帯端末３は、個人的な要望の情報を自由に且つ容易に取得できる。
又、お参り、巡礼、遍路実績の証明書等の取得を選択するように構成することも可能である。尚、選択画面及びその選択によって取得する情報の画面は１頁に限定されず、リンク等を利用して複数頁に構成することも可能である。
【００２９】
サーバ５は、ＩＣタグリーダー内蔵携帯端末３から選択情報を受信すると（ステップＳ６２）、選択情報に基づき宗教情報データベース２１を検索し（ステップＳ６３）、検索結果をＩＣタグリーダー内蔵携帯端末３に送信する（ステップＳ６４）。
ＩＣタグリーダー内蔵携帯端末３は、サーバ５からの検索結果を受信し（ステップＳ６５）、表示部４２によって表示する（ステップＳ６６）。
【００３０】
ステップＳ５５に於いて、認証が正しく行なわれなかった場合は、ＩＣタグリーダー内蔵携帯端末３に対し受信拒否メッセージを送信する（ステップＳ６７）。
その場合、ＩＣタグリーダー内蔵携帯端末３は、サーバ５からの受信拒否メッセージを受信し（ステップＳ６５）、表示部４２によって受信拒否メッセージを表示する（ステップＳ６６）。その後のＩＣタグリーダー内蔵携帯端末３からサーバ５へのアクセスが拒否される。アクセス拒否の手順については、その説明を省略する。
尚、本発明の電子厨子は、例えば、両親と離れて住む独身者用に仏壇代わりに設置することも可能であり、或いは、ペット専用の仏壇等として設置することも可能であるなど、種々の利用が可能である。
【図面の簡単な説明】
【００３１】
【図１】本発明による電子厨子システムの概略図である。
【図２】本発明による電子厨子システムの機能説明図である。
【図３】本発明による電子厨子の初期登録の処理の流れを示すフローチャート図である。
【図４】本発明による電子厨子システムのプログラムに基づく配信処理のフローチャート図である。
【図５】本発明による電子厨子システムの電子厨子に於ける選択に基づく配信処理のフローチャート図である。
【図６】本発明による電子厨子システムのＩＣタグリーダー内蔵携帯端末への配信処理のフローチャート図である。
【符号の説明】
【００３２】
１  電子厨子システム
２  電子厨子
３  ＩＣタグリーダー内蔵携帯端末
４  インターネット
５  サーバ
６  ＩＣタグ
７  ネットワーク
８  管理端末
２１  宗教情報データベース
２２  認証情報データベース
【図１】
2008204229.tif 000003
【図２】
2008204229.tif 000004
【図３】
2008204229.tif 000005
【図４】
2008204229.tif 000006
【図５】
2008204229.tif 000007
【図６】
2008204229.tif 000008